(57)【要約】      （修正有）【課題】  低温下における保存安定性に優れ、使用時には、起泡性および洗浄力に優れ、木目細かなクリーミィーな泡を形成・維持に優れる泡沫洗浄剤用組成物、並びに該組成物を泡吐出容器に充填した泡沫洗浄剤の提供。【解決手段】  アニオン界面活性剤、脂肪酸アルキロールアミドおよびポリクオタニウム５５に代表される、Ｎ−ビニルピロリドン誘導体、特定のアクリル酸エステル又はアミド誘導体及び４級アンモニウム基を含有する特定のアクリル酸エステル又はアミド誘導体からなる共重合体を含有してなる泡沫洗浄剤用組成物。【選択図】なし【特許請求の範囲】
【請求項１】
アニオン界面活性剤、脂肪酸アルキロールアミドおよび下記Ａ〜Ｃで表される単量体を共重合成分とする共重合体を含有してなる泡沫洗浄剤用組成物。
【化１】
2007091968.tif 000012
〔式中、Ｒは水素原子又は炭素数１〜５のアルキル基を表す。〕
【化２】
2007091968.tif 000013
〔式中、Ｐは酸素原子又はＮＲ２を表す。Ｒ１，Ｒ２，Ｒ３，Ｒ４はそれぞれ独立して水素原子又は炭素数１〜５のアルキル基を表す。Ｒ５は炭素数２〜１６のアルキレン基を表す。〕
【化３】
2007091968.tif 000014
〔式中、Ｐは酸素原子又はＮＲ２を表す。Ｒ１，Ｒ２，Ｒ３，Ｒ４はそれぞれ独立して水素原子又は炭素数１〜５のアルキル基を表す。Ｒ５は炭素数２〜１６のアルキレン基を表す。Ｒ６は炭素数９〜２４のアルキル基を表す。Ｍ−はハロゲンイオン、ｐ−トルエンスルホン酸イオン又はリン酸イオンを表す。〕
【請求項２】
前記共重合体が、ポリクオタニウム−５５である請求項１記載の泡沫洗浄剤用組成物。
【請求項３】
請求項１又は２に記載の泡沫洗浄剤組成物を、泡吐出容器に充填したことを特徴とする泡沫洗浄剤。
【発明の詳細な説明】
【技術分野】
【０００１】
本発明は、泡沫洗浄剤用組成物並びに泡沫洗浄剤に関する。詳しくは、スクイズフォーマーやポンプフォーマー等のノンエアゾール型の泡吐出容器により泡を形成する泡沫洗浄剤用組成物、並びに、該組成物を泡吐出容器に収納した泡沫洗浄剤に関する。
【背景技術】
【０００２】
洗浄剤は、固形状、液状、泡沫状等があるが、単にポンプを押す等するだけで簡便にクリーミィーな泡が得られること等から、泡沫状の洗浄剤が、手洗い用、洗顔用、洗髪用等の種々の用途に広く用いられている。
【０００３】
この泡沫状洗浄剤は、ポンプフォーマー等の容器内部の多孔質膜を通過させることで、内容組成物と空気とを混合して泡沫状とする。しかし、泡形成のためには、多孔質膜を通過させる必要があることから、内容組成物が多孔質膜で目詰まりを起すという問題がある。特に界面活性剤としてアニオン界面活性剤を用いた場合、低温保存時において製剤安定性が悪くなり、目詰まりが生じ易いといった問題がある。
【０００４】
このような問題点を解決するために、例えば、硫酸エステル系界面活性剤又はスルホン酸系界面活性剤とアニオン界面活性剤を泡吐出容器に充填した皮膚洗浄用品（特許文献１を参照）、糖系非イオン界面活性剤とアニオン界面活性剤を泡吐出容器に充填した皮膚洗浄用品（特許文献２を参照）、高級脂肪酸塩と有機酸塩をフォーマー容器に充填した水性液体洗浄剤（特許文献３を参照）等が提案されている。しかし、これら試みに拠っても、製剤安定性、多孔質膜の目詰まり、泡質、泡もち、使用感等の諸問題の解決には至っておらず、未だ満足しうるものではない。
【０００５】
【特許文献１】特開平８−１８３７２８号公報
【特許文献２】特開平８−１８３７２９号公報
【特許文献３】特開平８−９２０６４号公報
【発明の開示】
【発明が解決しようとする課題】
【０００６】
本発明は、上記従来技術に鑑みてなされたものであって、低温下における保存安定性に優れ、使用時には、起泡性および洗浄力に優れ、木目細かなクリーミィーな泡を形成し、泡持続性（以下、泡もちと記する）に優れる泡沫洗浄剤用組成物、並びに該組成物を泡吐出容器に充填した泡沫洗浄剤を提供することを課題とする。
【課題を解決するための手段】
【０００７】
すなわち、本発明は、
〔１〕アニオン界面活性剤、脂肪酸アルキロールアミドおよび下記Ａ〜Ｃで表される単量体を共重合成分とする共重合体を含有してなる泡沫洗浄剤用組成物、
【化１】
2007091968.tif 000002
〔式中、Ｒは水素原子又は炭素数１〜５のアルキル基を表す。〕
【化２】
2007091968.tif 000003
〔式中、Ｐは酸素原子又はＮＲ２を表す。Ｒ１，Ｒ２，Ｒ３，Ｒ４はそれぞれ独立して水素原子又は炭素数１〜５のアルキル基を表す。Ｒ５は炭素数２〜１６のアルキレン基を表す。〕
【化３】
2007091968.tif 000004
〔式中、Ｐは酸素原子又はＮＲ２を表す。Ｒ１，Ｒ２，Ｒ３，Ｒ４はそれぞれ独立して水素原子又は炭素数１〜５のアルキル基を表す。Ｒ５は炭素数２〜１６のアルキレン基を表す。Ｒ６は炭素数９〜２４のアルキル基を表す。Ｍ−はハロゲンイオン、ｐ−トルエンスルホン酸イオン又はリン酸イオンを表す。〕
〔２〕前記共重合体が、ポリクオタニウム−５５である前記〔１〕に記載の泡沫洗浄剤用組成物、並びに
〔３〕前記〔１〕又は〔２〕に記載の泡沫洗浄剤用組成物を、泡吐出容器に充填したことを特徴とする泡沫洗浄剤、
に関する。
【発明の効果】
【０００８】
本発明の泡沫洗浄剤用組成物は、低温保存下での製剤の保存安定性に優れるとともに、起泡力と洗浄力に優れた効果を奏する。また、本発明の泡沫洗浄剤用組成物をポンプフォーマー等の泡吐出容器により吐出した泡は、木目細かなクリーミィーな泡を形成し、泡もちに優れた効果を奏するとともに、目詰まりが生じないといった優れた効果を奏する。
【発明を実施するための最良の形態】
【０００９】
本発明の泡沫洗浄剤用組成物は、アニオン界面活性剤、脂肪酸アルキロールアミドおよび３種類の単量体よりなる共重合体を含有する。
【００１０】
本発明に用いられるアニオン界面活性剤は、優れた洗浄力および起泡力を有していれば特に限定されないが、例えば、ラウリン酸ナトリウム、ラウリン酸トリエタノールアミン、ミリスチン酸ナトリウム、ミリスチン酸トリエタノールアミン、パルミチン酸ナトリウム、パルミチン酸トリエタノールアミン、ステアリン酸ナトリウム、ステアリン酸トリエタノールアミン、ヤシ油脂肪酸カリウム、ヤシ油脂肪酸トリエタノールアミン等の炭素数１２〜２２の高級脂肪酸塩；ラウリル硫酸ナトリウム、ラウリル硫酸トリエタノールアミン、ミリスチル硫酸ナトリウム、ステアリル硫酸ナトリウム、オレイル硫酸ナトリウム、セチル硫酸ナトリウム等のアルキル硫酸エステル塩；ポリオキシエチレンラウリルエーテル硫酸ナトリウム、ポリオキシエチレンミリスチルエーテル硫酸ナトリウム等のポリオキシエチレンアルキルエーテル硫酸塩；テトラデセンスルホン酸ナトリウム等のα−オレフィンスルホン酸塩；ミリストイルメチルタウリンナトリウム、パルミトイルメチルタウリンナトリウム、ステアロイルメチルタウリンナトリウム、オレオイルメチルタウリンナトリウム、ヤシ油脂肪酸メチルタウリンナトリウム等のＮ−アシルメチルタウリン塩；スルホコハク酸ジオクチルナトリウム、スルホコハク酸ラウリルニナトリウム等のスルホコハク酸アルキル塩；スルホコハク酸ポリオキシエチレンラウリル二ナトリウム等のスルホコハク酸ポリオキシエチレンアルキル塩；ラウリルリン酸ナトリウム、セチルリン酸ナトリウム、セチルリン酸ジエタノールアミン等のモノアルキルリン酸エステル塩；ポリオキシエチレンラウリルエーテルリン酸ナトリウム、ポリオキシエチレンセチルエーテルリン酸ナトリウム、ポリオキシエチレンオレイルエーテルリン酸ナトリウム、ポリオキシエチレンアルキルフェニルエーテルリン酸ナトリウム、ポリオキシエチレンアルキルフェニルエーテルリン酸トリエタノールアミン等のポリオキシエチレンアルキルエーテルリン酸エステル塩；ラウロイルサルコシンカリウム、ラウロイルサルコシントリエタノールアミン、ミリストイルサルコシンナトリウム、ヤシ油脂肪酸サルコシンナトリウム等のＮ−アシルサルコシン塩；ラウロイルメチルアラニンナトリウム、ラウロイルメチルアラニントリエタノールアミン、ミリストイルメチルアラニンナトリウム、ヤシ油脂肪酸メチルアラニンナトリウム等のＮ−アシル−Ｎ−メチル−β−アラニン塩；ラウロイルグルタミン酸ナトリウム、ラウロイルグルタミン酸トリエタノールアミン、ミリストイルグルタミン酸ナトリウム、ステアロイルグルタミン酸カリウム、ステアロイルグルタミン酸ニナトリウム、ヤシ油脂肪酸アシルグルタミン酸ナトリウム、ヤシ油脂肪酸アシルグルタミン酸トリエタノールアミン等のＮ−アシルグルタミン酸塩；ヤシ油脂肪酸アシルグリシンカリウム、ヤシ油脂肪酸アシルグリシンナトリウム等のＮ−アシルグリシン塩等が挙げられる。これらは、それぞれ単独で、或いは二種以上を適宜組合せて用いてもよい。本発明においては、洗浄力および起泡力の観点から、高級脂肪酸塩、ポリオキシエチレンアルキルエーテル硫酸塩、アシルグルタミン酸塩、スルホコハク酸ポリオキシエチレンアルキル塩、Ｎ−アシルグルタミン��塩、Ｎ−アシルグリシン塩等を用いるのが好ましい。
【００１１】
アニオン界面活性剤の含有量は、本発明の効果が発揮されれば特に限定されないが、通常、起泡力および洗浄力の観点から、組成物中、０．１重量％以上が好ましく、より好ましくは１重量％以上である。また、皮膚刺激やつっぱり感の抑制、および製剤安定性の観点から、１５重量％以下が好ましく、より好ましくは１０重量％以下である。これらより、アニオン界面活性剤の含有量は、好ましくは０．１〜１５重量％、より好ましくは１〜１０重量％である。
【００１２】
本発明に用いられる脂肪酸アルキロールアミドとしては、例えば、脂肪酸モノエタノールアミド、脂肪酸モノイソプロパノールアミド、脂肪酸ジエタノールアミド等が挙げられる。また、用いられる脂肪酸の例としては、ラウリン酸、ミリスチン酸、パルミチン酸、ステアリン酸、オレイン酸等の炭素数１２〜２０の高級脂肪酸；ヤシ油、パーム油等の植物性油脂；牛脂等の動物性油脂等を例示することができる。本発明においては、泡の安定性、洗浄力および起泡力の観点から、ラウリン酸ジエタノールアミド、ステアリン酸ジエタノールアミド、ヤシ油脂肪酸ジエタノールアミド、パーム核脂肪酸ジエタノールアミド等を好ましく用いることができる。
【００１３】
尚、本発明に用い得る市販の脂肪酸アルキロールアミドは、例えば、ラウリン酸ジエタノールアミドとしては、アミノーンＬ−０２（商品名，花王社製）；ステアリン酸ジエタノールアミドとしては、アミゾールＳＤＥ（商品名，川研ファインケミカル社製）；ヤシ油脂肪酸ジエタノールアミドとしては、アミゾールＣＤＥ（商品名，川研ファインケミカル社製）、アミコールＣＤＥ−１（商品名，ミヨシ油脂社製）；パーム核脂肪酸ジエタノールアミドとしては、アミノーンＰＫ−０２Ｓ（商品名，花王社製）等を例示することができる。
【００１４】
脂肪酸アルキロールアミドの含有量は、本発明の効果が発揮されれば特に限定されないが、通常、泡の安定性、洗浄力および起泡力の観点から、組成物中、０．１重量％以上が好ましく、より好ましくは１重量％以上である。また、洗浄後のべたつき感を抑制する観点から、７重量％以下が好ましく、より好ましくは５重量％以下である。これらの観点から、脂肪酸アルキロールアミドの含有量は、好ましくは０．１〜７重量％、より好ましくは１〜５重量％である。
【００１５】
本発明に用いられる共重合体は、下記Ａ〜Ｃで表される単量体を共重合成分とする共重合体であり、アニオン界面活性剤の優れた起泡力を維持したまま、木目細かな良好な泡質を形成させる目的で配合される。
【化４】
2007091968.tif 000005
〔式中、Ｒは水素原子又は炭素数１〜５のアルキル基を表す。〕
【化５】
2007091968.tif 000006
〔式中、Ｐは酸素原子又はＮＲ２を表す。Ｒ１，Ｒ２，Ｒ３，Ｒ４はそれぞれ独立して水素原子又は炭素数１〜５のアルキル基を表す。Ｒ５は炭素数２〜１６のアルキレン基を表す。〕
【化６】
2007091968.tif 000007
〔式中、Ｐは酸素原子又はＮＲ２を表す。Ｒ１，Ｒ２，Ｒ３，Ｒ４はそれぞれ独立して水素原子又は炭素数１〜５のアルキル基を表す。Ｒ５は炭素数２〜１６のアルキレン基を表す。Ｒ６は炭素数９〜２４のアルキル基を表す。Ｍ−はハロゲンイオン、トシルイオン又はリン酸イオンを表す。〕
【００１６】
単量体Ａ〜Ｃよりなる共重合体中における構成成分の含有量は、特に限定されないが、単量体Ａよりなる構成成分は４０〜９５重量％が好ましく、より好ましくは６０〜９０重量％である。単量体Ｂよりなる構成成分は０．１〜５５重量％が好ましく、より好ましくは５〜３０重量％である。単量体Ｃよりなる構成成分は０．２５〜５０重量％が好ましく、より好ましくは１〜３０重量％である。また、共重合体の製造方法としては、例えば、各単量体を不活性ガス雰囲気下の溶媒中で加熱重合させれば良く、米国特許第６，２０７，７７８号明細書に記載の方法によっても製造することができる。
【００１７】
本発明に用いられる共重合体のなかでも、ＰがＮＲ２であり、Ｒ，Ｒ１，Ｒ２，Ｒ３，Ｒ４が水素又は炭素数１〜３のアルキル基、Ｒ５が炭素数２〜４のアルキル基、Ｒ６が炭素数９〜１６のアルキル基の共重合体が好ましく、特に、ＰがＮＲ２であり、Ｒ，Ｒ２が水素、Ｒ１，Ｒ３，Ｒ４がメチル基、Ｒ５が炭素数３のアルキル基、Ｒ６が炭素数１２のアルキル基である、ＩＮＣＩ名（ＣＴＦＡ辞典、第１０版、２００４年）でポリクオタニウム−５５（ＰＯＬＹＱＵＡＴＥＲＮＩＵＭ−５５）と表記される、ビニルピロリドン・ジメチルアミノプロピルメタクリルアミド・ラウリルジメチルアミノプロピルメタクリルアミド共重合体が好ましい。
【００１８】
尚、本発明に用い得るポリクオタニウム−５５の市販品としては、例えば、ＳＴＹＬＥＺＥ  Ｗ−２０、Ｗ−１０（商品名，何れもＩＳＰ社製）などを例示することができる。
【００１９】
共重合体の含有量は、本発明の効果が発揮されれば特に限定されないが、通常、安定な木目細かな泡質を得る観点から、組成物中、０．０１重量％以上が好ましく、より好ましくは０．１重量％以上である。また、洗浄後のべたつき感を抑制する観点および泡吐出容器内部の多孔質膜の目詰まりを抑制する観点から、２重量％以下が好ましく、より好ましくは１重量％以下である。これらより、共重合体の含有量は、好ましくは０．０１〜２重量％、より好ましくは０．１〜１重量％である。
【００２０】
また、本発明の泡沫洗浄剤用組成物には、タオルドライ後のつっぱり感を抑え、適度なしっとり感を付与するために、多価アルコールを含有させることができる。用いられる多価アルコールとしては、特に限定されず、例えば、グリセリン、ジグリセリン、１，３−ブチレングリコール、エチレングリコール、プロピレングリコール、ジプロピレングリコール、ソルビトール、マルチトール、１，２−ペンタンジオール、１，２−ヘキサンジオール、１，２−オクタンジオール等を例示することができる。これらのうち一種を単独で、或いは二種以上を適宜組合せて用いることができる。
【００２１】
多価アルコールの含有量は、本発明の効果が発揮されれば特に限定されないが、通常、タオルドライ後のつっぱり感を抑え、適度なしっとり感を付与する観点から、組成物中、３重量％以上が好ましく、より好ましくは５重量％以上である。また、皮膚への刺激および洗浄後のべたつき感を抑制する観点から、２０重量％以下が好ましく、より好ましくは１５重量％以下である。これらより、多価アルコールの含有量は、好ましくは３〜２０重量％、より好ましくは５〜１５重量％である。
【００２２】
本発明の泡沫洗浄剤用組成物には、本発明の効果を損なわない範囲内であれば、上記した成分の他に通常化粧品に用いられる成分、例えば、清涼剤、動植物由来抽出エキス、動植物由来油脂、シリコーン類、低級アルコール、水溶性高分子、保湿剤、紫外線吸収剤、消炎剤、金属封鎖剤、ビタミン類、酸化防止剤、防腐・殺菌剤、ｐＨ調整剤、抗酸化剤、着色剤、各種香料、水等を、適宜目的に応じて配合することができる。
【００２３】
以上詳述した泡沫洗浄剤用組成物を、泡吐出容器に充填することで、本発明にかかる泡沫洗浄剤とされる。本発明に用いられる泡吐出容器とは、噴射剤を使用するエアゾール型以外のノンエアゾール型の泡吐出容器を意味し、吐出容器内に充填された泡沫洗浄剤用組成物と、空気とを混合して多孔質膜を通過させることにより泡沫状に吐出することができる容器である。具体的には、ポンプフォーマーやスクイズフォーマー等を例示することができる。
【００２４】
また、吐出容器内部の多孔質膜は、一つ又は複数設けられ、その膜の孔数は特に限定されないが、木目細かな泡質にする観点から、１００〜４００メッシュが好ましく、２００〜３００メッシュのものを用いるのがより好ましい。
【００２５】
本発明の泡沫洗浄剤用組成物は、常法により製造することができ、該組成物を泡吐出容器に充填した泡沫洗浄剤は、洗顔剤、ボディーソープ、ハンドソープ、シャンプー等の身体用洗浄剤として用いることができる。なかでも、吐出時の起泡力に優れ、木目細かな泡質を有していることから、皮膚用洗浄剤、特に洗顔剤、ボディーソープ、ハンドソープ等の身体用の洗浄剤として好適に用いることができる。
【実施例】
【００２６】
次に、本発明を実施例に基づいて更に詳細に説明するが、本発明はこれら実施例にのみ限定されるものではない。
【００２７】
（製造例１；泡沫洗浄剤用組成物の調製）
表１および表２に記した組成に従い、各成分を常法により混合して実施例１〜６および比較例１〜３の各泡沫洗浄剤用組成物を調製した。また、配合量は、特記しない限り「重量％」を表す。尚、表中、ポリクオタニウム−５５は、ＳＴＹＬＥＺＥ  Ｗ−１０（商品名，ＩＳＰ社製）を用い、各成分の配合量は純分に換算した。
【００２８】
（試験例１：製剤の低温安定性の評価）
実施例１〜６および比較例１〜３の各泡沫用洗浄剤組成物を、５０ｍＬ容透明サンプル管にそれぞれ封入し、−３℃の恒温槽に１２０時間保存し、下記評価基準に従い、目視にて評価した。結果を表１〜２に記す。
【００２９】
＜低温安定性の評価基準＞
○：析出や分離が認められない
×：析出や分離が認められる
【００３０】
（試験例２：起泡力の評価）
実施例１〜６および比較例１〜３の各泡沫用洗浄剤組成物約１ｇを掌にのせ、実際に泡立たせ、その起泡力を下記評価基準に基づき、専門パネル２０名により評価した。結果を表１〜２に記す。
【００３１】
＜評価基準＞
○：良好（２０名中１５名以上が起泡性に優れると回答）
△：普通（２０名中６〜１４名が起泡性に優れると回答）
×：不良（２０名中５名以下が起泡性に優れると回答）
【００３２】
（試験例３：洗浄力の評価）
加温した人工皮脂にケラチン布（３ｃｍ×３ｃｍ）を浸して汚染布とし、このものを実施例１〜６および比較例１〜３の各泡沫用洗浄剤組成物の１０％水溶液にそれぞれ５０℃で１時間浸漬後、水洗した。各試料の洗浄力（％）は、人工皮脂の除去率を汚染布の重量変化から下記式により算出し、下記の評価基準に従って評価した。結果を表１〜２に記す。
洗浄力（％）＝（塗布時人工皮脂量−洗浄後人工皮脂量）÷（塗布時人工皮脂量）×100
【００３３】
尚、人工皮脂は、トンシ４０重量％、オレイン酸１３重量％、ミリスチン酸１２重量％、スクワレン１２重量％、パラフィンワックス１０重量％、ステアリン酸モノグリセリン３重量％、コレステロール２重量％、赤色２０２号残分の組成のものを調製して用いた。
【００３４】
＜評価基準＞
○：洗浄力７０％以上
△：洗浄力３０％以上７０％未満
×：洗浄力３０％未満
【００３５】
【表１】
2007091968.tif 000008
【００３６】
【表２】
2007091968.tif 000009
【００３７】
（製造例２；泡沫洗浄剤の調製）
上記実施例１〜６および比較例１〜３の各泡沫洗浄剤用組成物を２００メッシュおよび２５５メッシュの二枚の多孔質膜を有するポンプフォーマー（商品名  Ｆ２ポンプフォーマー：大和製缶社製）に適量充填し、それぞれ実施例７〜１２及び比較例４〜６の泡沫洗浄剤とした。
【００３８】
（試験例４：泡の木目細やかさの評価）
実施例７〜１２および比較例４〜６の各泡沫状洗浄剤を専門パネル２０名に使用させ、吐出直後の泡質を下記評価基準に基づき評価した。結果を表３〜４に記す。
【００３９】
＜評価基準＞
○：良好（２０名中１５名以上が木目細かな泡であると回答）
△：普通（２０名中６〜１４名が木目細かな泡であると回答）
×：不良（２０名中５名以下が木目細かな泡であると回答）
【００４０】
（試験例５：泡もちの評価）
実施例７〜１２および比較例４〜６の各泡沫状洗浄剤を専門パネル２０名に使用させ、吐出直後からの泡もちを下記評価基準に基づき評価した。結果を表３〜４に記す。
【００４１】
＜評価基準＞
○：良好（２０名中１５名以上が泡もちが良いと回答）
△：普通（２０名中６〜１４名が泡もちが良いと回答）
×：不良（２０名中５名以下が泡もちが良いと回答）
【００４２】
（試験例６：目詰まりの評価）
実施例７〜１２および比較例４〜６の各泡沫状洗浄剤を１日１回３０日間の使用試験を行い、各回の吐出状態について下記評価基準に基づき評価した。結果を表３〜４に記す。
【００４３】
＜評価基準＞
○：試験初日から最終日まで略同一量の泡が吐出される
△：試験初日から最終日までの間に泡の吐出量が明らかに減少する
×：試験初日から最終日までの間に目詰まりが生じ泡が吐出しない
【００４４】
【表３】
2007091968.tif 000010
【００４５】
【表４】
2007091968.tif 000011
【００４６】
表１〜２の結果から、本発明の泡沫洗浄剤用組成物は、起泡力および洗浄力に優れ、低温保存下においてアニオン界面活性剤の析出および製剤の分離が生じないことから、製剤の保存安定性に優れることが分かる。また、表３〜４の結果から、本発明の泡沫洗浄剤用組成物をポンプフォーマー等の泡吐出容器により吐出した泡は、木目細かなクリーミィーな泡を形成し、泡もちに優れた効果を奏するとともに、目詰まりが生じないことが分かる。
【００４７】
以下、本発明に係る泡沫洗浄剤用組成物の処方例を示す。尚、含有量は重量％である。
（処方例：洗顔剤）
ヤシ油脂肪酸ジエタノールアミド                                    ４．０
ポリクオタニウム−５５                                            ０．４
ラウリン酸                                                        ３．０
ミリスチン酸                                                      １．０
ステアリン酸                                                      １．０
パルミチン酸                                                      １．０
トリエタノールアミン                                              ５．０
グリセリン                                                        ３．０
ジプロピレングリコール                                            ２．０
ソルビトール                                                      ５．０
メントール                                                        ０．２
パラオキシ安息香酸メチル                                          ０．１
パラオキシ安息香酸プロピル                                        ０．１
精製水                                                            残  量
合計                                                          １００．０
【産業上の利用可能性】
【００４８】
本発明の泡沫洗浄剤用組成物並びに泡沫洗浄剤は、ポンプフォーマー等の泡吐出容器から吐出された泡は、起泡性に優れ、木目細かなクリーミィーな泡を形成し、洗浄力に優れることから、洗顔剤、ボディーソープ、ハンドソープ等の身体用の泡沫洗浄剤として好適に用いることができる。